(57)【要約】  製品表示システム及び方法である。データベースは、対応する製品についての製品情報を記憶する。アクセス・ポイント（それはリーダーとすることができる）は、製品情報を受信する。このアクセス・ポイントは、対応する質問領域内で無線で製品情報を送信するように構成されている。この無線送信は、電子製品コード（「ＥＰＣ」）送信プロトコルを用いる。電子価格ラベル（「ＥＰＬ」）は、アンテナと、ＲＦＩＤ要素と、ディスプレイとを有する。アンテナはアクセス・ポイントから製品情報を受信するように構成される。ＲＦＩＤ要素はアンテナと通信する。ＲＦＩＤ要素は、受信した製品情報を記憶する。ディスプレイは、受信した製品情報を表示するように構成される。【選択図】図２
2014517437.tif 000002
【特許請求の範囲】
【請求項１】
情報を電子価格設定ラベルへ送信する方法であって、
製品情報をデータベースに記憶して、その製品情報は、電子価格設定ラベル（「ＥＰＬ」）に関連した製品に関するものであり、
前記製品情報を少なくとも一つのアクセス・ポイントへ送信し、その少なくとも一つのアクセス・ポイントは、質問領域を確立し、
質問領域内でＥＰＬを特定し、及び、
前記質問領域内で前記製品情報を前記特定されたＥＰＬへ送信し、少なくとも一つのアクセス・ポイントから少なくとも一つのＥＰＬにおける特定されたものへの送信は、電子製品コード（「ＥＰＣ」）伝達プロトコルを用いる方法。
【請求項２】
請求項１の方法において、前記製品に関連したＥＰＬは前記製品に添付される方法。
【請求項３】
請求項１の方法において、前記製品に関連したＥＰＬは棚に配置され、その棚が前記製品を収納する方法。
【請求項４】
請求項１の方法において、前記少なくとも一つのアクセス・ポイントは無線周波数識別（「ＲＦＩＤ」）リーダーである方法。
【請求項５】
請求項１の方法において、ＥＰＣ伝達プロトコルはＥＰＣクラス１世代２プロトコルである方法。
【請求項６】
請求項１の方法において、前記製品情報を少なくとも一つのアクセス・ポイントへ送信することは低レベル・リーダー・プロトコル（「ＬＬＲＰ」）を介して生じる方法。
【請求項７】
請求項４の方法において、ＲＦＩＤリーダーは携帯型リーダーである方法。
【請求項８】
請求項７の方法において、前記製品に関連したＥＰＬが前記携帯型リーダーの前記質問領域内にあるとき、前記製品情報を前記製品に関連したＥＰＬへ送信することを更に含む方法。
【請求項９】
請求項１の方法において、前記製品情報は前記製品についての価格設定情報を含む方法。
【請求項１０】
製品情報ディスプレイ・システムであって、
データベースであり、対応する製品情報についての情報を記憶するデータベースと、
アクセス・ポイントであり、前記製品情報を受信し、対応する質問領域内で前記製品情報を無線で送信するように配置され、その無線送信は電子製品コード（「ＥＰＣ」）伝達プロトコルを用いているアクセス・ポイントと、及び、
電子価格ラベル（「ＥＰＬ」）であり、このＥＰＬは、
前記アクセス・ポイントから前記製品情報を受信するように配置されたアンテナと、
前記アンテナと通信するＲＦＩＤ要素であり、前記受信した製品情報を記憶するＲＦＩＤ要素と、
前記受信した製品情報を表示するように構成されたディスプレイとを有するシステム。
【請求項１１】
請求項１０のシステムにおいて、前記ＥＰＬは前記対応する製品に近接する棚に配置可能なシステム。
【請求項１２】
請求項１０のシステムにおいて、前記ＥＰＣ伝達プロトコルはＥＰＣクラス１世代２プロトコルであるシステム。
【請求項１３】
請求項１０のシステムにおいて、前記アクセス・ポイントは携帯型リーダーであるシステム。
【請求項１４】
請求項１０のシステムにおいて、前記ＥＰＬがハウジング内に位置しており、前記システムが、前記ハウジング内に位置したＲＦＩＤセキュリティ・タグを更に含むシステム。
【請求項１５】
請求項１０のシステムにおいて、前記ＲＦＩＤ要素はメモリを含み、そのメモリは、ユーザー・メモリ領域を有し、そのユーザー・メモリ領域は前記製品情報を記憶するシステム。
【請求項１６】
請求項１５のシステムにおいて、前記製品情報は価格設定情報を含むシステム。
【請求項１７】
電子価格設定ラベル（「ＥＰＬ」）であって、
無線周波数識別（「ＲＦＩＤ」）要素であり、製品情報信号を受信し、この製品情報信号は電子製品コード（「ＥＰＣ」）送信プロトコルに基づき、かつ、前記ＥＰＬに関連した製品に関する製品情報を包含するＲＦＩＤ要素と、
コントローラであり、前記ＲＦＩＤ要素から前記製品情報を受信するコントローラと、及び、
前記コントローラと通信するディスプレイであり、前記コントローラから受信した前記製品情報を表示するディスプレイとを備えるＥＰＬ。
【請求項１８】
請求項１７のＥＰＬにおいて、前記ＲＦＩＤ要素はメモリを含み、このメモリはユーザー・メモリ領域を有し、このユーザー・メモリ領域は前記製品情報を記憶するＥＰＬ。
【請求項１９】
請求項１８のＥＰＬにおいて、前記ユーザー・メモリ領域は前記コントローラの状態を更に記憶し、このコントローラの状態は低バッテリ表示を含むＥＰＬ。
【請求項２０】
請求項１８のＥＰＬにおいて、前記ユーザー・メモリ領域は前記ＲＦＩＤ要素の状態を更に記憶し、このＲＦＩＤ要素の状態は、前記製品情報が更新されたかを決定するために前記コントローラにより用いられるＥＰＬ。
【発明の詳細な説明】
【発明の詳細な説明】
【０００１】
本発明は一般に無線通信に関し、更に詳しくは無線周波数識別（「ＲＦＩＤ」）システム上で価格設定及び製品説明情報を価格設定ラベルへ送信するための方法及びシステムに関する。
【０００２】
発明の背景
一般的に、小売店舗は、製品について情報を顧客に提供するために、価格ラベルを棚又は商品に添付する。製品のラベルは、その価格に加えて製品の説明を表示する。殆どの場合、これらの価格ラベルは、紙に基づくラベルである。紙に基づくラベルは、価格又は製品説明更新があるたびに、新しいラベルを印刷して使用する退屈で手作業の集中的な処理を必要とする。これは、店舗従業員にとって面倒で時間のかかる処理である。
【０００３】
有線及び無線技術によって電子価格ラベル（「ＥＰＬ」）を提供する試みは、非効率的であることが立証されて、広範囲に亘って受け入れられなかった。
赤外線送信又はプロプライエタリー無線プロコトルの使用は、正確でタイムリーな製品価格設定更新を充分に提供することもできなかった。多くの既知の解決策は、既存の基準に影響を及ぼさないプロプライエタリー・プロコトル又は広く受け入れられたプロトコル又はチップセットを採用する。これは高価な実施経費と、大部分の小売業者にとって適切ではなく充分に速くない投資収益率をもたらす。更に小売店舗は単独の企業に依存する専有技術を採用するのを嫌う。また、既存の解決策はＬＣＤディスプレイを用いることに重点を置いており、それは他の表示技術よりも高い電力及びエネルギを必要とする。ＬＣＤの使用に起因して、バッテリ寿命は、他の技術で使用するよりも大いに低減される。
【０００４】
従って必要なことは、自動化した価格設定及び製品説明更新を無線で棚又は商品に取り付けられたＥＰＬに提供し、それらを価格設定及び製品情報を示すために電子ディスプレイを介して視認することができる効率的で費用効率がよいシステム及び方法である。
発明の概要
本発明は、製品情報を示すための方法及びシステムを有利に提供する。製品情報は、アクセス・ポイント、例えば、無線周波数識別（「ＲＦＩＤ」）リーダー、からＲＦＩＤ電子製品コード（「ＥＰＣ」）伝達プロトコルを用いて電子価格ラベル（「ＥＰＬ」）へ、無線で送信される。ＥＰＬはＥＰＣ伝達を受けて、製品情報を抽出し、製品情報を表示する。例えば、ＥＰＬは対応する製品に添付することができるか、製品陳列棚に配置することができる。
【０００５】
一つの態様においては、本発明は、情報を電子価格設定ラベルへ送信する方法を提供する。製品情報は、データベースに記憶される。製品情報は、ＥＰＬに関連した製品に関係している。製品情報は、少なくとも一つのアクセス・ポイントへ送信される。少なくとも一つのアクセス・ポイントは、質問領域を確立する。ＥＰＬは、少なくとも一つのアクセス・ポイントにおける質問領域内で特定される。製品情報は少なくとも一つのアクセス・ポイントを特定する質問領域内のＥＰＬへ送信される。少なくとも一つのアクセス・ポイントから、特定された少なくとも一つのＥＰＬへの伝達は、電子製品コード（「ＥＰＣ」）伝達プロトコルを用いる。
【０００６】
他の態様においては、本発明は製品表示システムを提供し、そこではデータベースが、対応する製品についての製品情報を記憶する。アクセス・ポイントは、製品情報を受信する。アクセス・ポイントは、対応する質問領域内で製品情報を無線で送信するように配置される。無線伝達は、電子製品コード（「ＥＰＣ」）伝達プロトコルを用いる。電子価格ラベル（「ＥＰＬ」）は、アンテナ、ＲＦＩＤ要素及びディスプレイを有する。アンテナは、リーダーから製品情報を受け取るように配置される。ＲＦＩＤ要素は、アンテナと連絡してある。ＲＦＩＤ要素は、受信した製品情報を記憶する。ディスプレイは受信した製品情報を示すために配置される。
【０００７】
更に他の態様においては、本発明は、ＥＰＬを提供する。このＥＰＬは、ＲＦＩＤ要素を有する。ＲＦＩＤ要素は製品情報信号を受信し、そこでは製品情報信号がＥＰＣ伝達プロトコルに基づいており、ＥＰＬに関連した製品に関係した製品情報を包含する。コントローラは、ＲＦＩＤ要素から製品情報を受信する。ディスプレイはコントローラと通信状態にある。このディスプレイは、コントローラから受信した製品表示情報を表示する。
【図面の簡単な説明】
【０００８】
本発明のより完全な理解並びにその付随する利点及び特徴は、添付の図面と共に考慮されるとき、以下の詳細な説明を参照することによってより容易に理解されるであろう。
【図１】図１は本発明の方式によって構築された例示的電子価格ラベル更新システムのブロック図である。
【図２】図２は、本発明の方式による電子価格ラベルの例示的な構成要素のブロック図である。
【図３】図３は本発明の方式によりリーダーと電子価格ラベルが相互作用する処理の例示のフローチャートである。
【図４】図４は本発明の電子価格ラベル内に位置するＲＦＩＤチップのメモリ利用の例示の概略図である。
【図５】図５は本発明の電子価格ラベルを操作するマスター制御チップによって実行される例示的処理のフローチャートである。発明の詳細な説明  本発明による例示的実施形態を詳細に説明する前に、これらの実施形態は主に、標準的な無線通信プロトコルを拡張することに影響を及ぼすことによって製品説明と価格設定更新を電子価格設定ラベルに提供するシステム及び方法を実施することに関する装置構成要素と処理ステップとの組合せにあることに留意されたい。
【０００９】
従って、システム及び方法構成要素は図面内に通常の符号によって適切に表され、本明細書の説明の利益がある当業者にとって直ちに明らかである詳細で開示事項を不明瞭にしないように、本発明の実施形態を理解することに関係するそれらの特定の詳細のみを示した。
【００１０】
本明細書に用いられるように、関係的用後、例えば「第１」及び「第２」、「頂部」及び「底部」等は、単にそのような実体又は要素を他の実体又は要素から、何らかの物理的又は論理的関係或いはそれらの実体又は要素の間の順序の要請又は暗示を必要とすることなく、区別するために用いられ得る。
【００１１】
本発明の一つの実施形態は、製品価格設定及び説明更新を一つ以上の電子価格設定ラベル（「ＥＰＬ」）に自動的に、かつ、継ぎ目なく提供する方法及びシステムを有利に提供する。本発明のシステムは、製品説明及び価格設定情報を記憶するサーバーを含む。サーバーは、製品関連情報を一つ以上のリーダー又はアクセス・ポイントへ送る。各々のアクセス・ポイントは、対応する製品にそれぞれ関係している一つ以上のＥＰＬに製品情報を無線通信する。次いで製品情報はＥＰＬ上に表示され、これは製品そのものに、又は、製品が位置している棚に貼り付けることができる。価格設定情報の伝達は、製品質問及び識別のために既に店舗に配置されていることがある同一の無線周波数識別（「ＲＦＩＤ」）基礎構造で起こる場合がある。
【００１２】
本開示事項は以下の詳細な説明から及び本発明の特定の実施形態の添付図面からより完全に理解されるが、これは本発明を特定の実施形態に限定して採るべきではなく、説明的な目的のためである。
【００１３】
多数の特定の詳細が、価格設定及び製品情報を本開示事項を取り入れている一つ以上のＥＰＬに送信するシステムの幾つかの可能な実施形態の完全な理解を提供するために本明細書に記述されるであろう。しかしながら当業者には、実施形態はこれらの特定の詳細を伴うこと無く実施し得ることが理解されるであろう。他の例においては、公知の方法、手順、構成要素及び回路は、実施形態を不明瞭にしないように詳述しなかった。本明細書に開示された特定の構造及び機能的な詳細は代表的なことがあり、実施形態の範囲を必ずしも制限するわけではないと認めることができる。
【００１４】
個々に図面を参照すると、同様な参照符号が同様な要素を指しており、図１には、本発明の実施形態によって電子価格ラベル更新システム１０の例示的構成が示されている。システム１０はサーバー１２を含み、これは店舗に又は離隔して配置することができる。サーバー１２は、店舗内で製品に関連した価格設定及び製品情報を記憶するデータベース１４を含むか、又はこのデータベース１４と通信する。サーバー１２は、店舗ネットワーク１６上に価格設定及び製品情報最更新を定期的に送信する。サーバー１２は、サーバー１２が本明細書に説明された機能を実行するのを可能とするために、ＣＰＵ、揮発性及び／又は不揮発性記憶メモリ及び通信インターフェースを含む。記憶メモリは、実行するとき、サーバー１２に関して本明細書に記載した機能を実行する、プログラム可能ソフトウェア・コードを記憶する。
【００１５】
店舗ネットワーク１６は、一つ以上のアクセス・ポイント又はアクセス・ポイント１８によりサーバー１２と相互接続する。店舗ネットワーク１６は、サーバー１２とアクセス・ポイント１８との間の通信を容易にするＴＣＰ／ＩＰのようなプロトコルを用いた有線又は無線ネットワークとすることができる。店舗ネットワーク１６は、イーサネット・ベースとすることができる。アクセス・ポイント１８は価格設定及び製品情報をサーバー１２から受信し、この情報を変換して、これを無線接続を介してＥＰＬ２０へ送る。即ち、店舗サーバー１２上のクライアント・アプリケーションは、伝統的なインターネットワーキング・プロトコル・スタック、例えばイーサネット／ＩＰ／ＴＣＰ／ＨＴＴＰ又は類似の技術を用いて、アクセス・ポイント１８に通信して、次いでアクセス・ポイント１８はアプリケーション・データをＣ１Ｇ２（ＥＰＣｇｌｏｂａｌ  Ｇｅｎ２としても知られている）受動的ＲＦＩＤプロトコルへ変換して、Ｃ１Ｇ２  ＲＦＩＤインターフェースに備えられたＥＰＬ ２０へ移動させる。
【００１６】
図１は単独のサーバー１２を示しているが、本発明はそれに限定されないことに注目すべきである。一つよりも多くのサーバーを実装できることが意図されている。また、用語「リーダー」と「アクセス・ポイント」とは交換可能に本明細書で用いられており、ＲＦＩＤプロトコルを用いた一つ以上の電子価格設定ラベル（「ＥＰＬ」）２０と無線で通信することができるデバイスを指す。通信経路は、アクセス・ポイント１８を介してサーバー１２から価格設定及び／又は製品情報をＥＰＬ ２０へ提供する。一つの実施形態においては、サーバー１２は価格管理アプリケーション（「ＰＭＡ」）２１を実行する。
【００１７】
価格設定及び製品情報は、ＰＭＡ ２１によって定期的に更新することができる。代替的な実施形態においては、定期的な更新の代わりに、店舗従業員のようなユーザーは、サーバー１２に更新を送るように指示するために、ＰＭＡ ２１を使うことができる。更に他の実施形態においては、価格設定及び／又は製品情報が変わるとき、価格設定及び／又は製品情報はＰＭＡ ２１によってアクセス・ポイント１８へ送信される。例えば、特定の製品が特価にされるならば、その製品の販売価格はアクセス・ポイント１８へ送信され、それは情報をその製品に関連した各々のＥＰＬ ２０に送る。特価価格は各々のＥＰＬ ２０のディスプレイ・ユニット（以下に説明する）に表示することができる。
【００１８】
ＥＰＬ ２０は、価格設定ラベルが添付されているか、さもなければ製品に関係している。ある場合には、ＥＰＬ ２０は、製品を陳列する店舗棚２２に添付されたラベルである。各々のＥＰＬ ２０は、対応する製品に関する価格設定と製品情報を表すディスプレイを含む。このように、ＥＰＬ ２０は製品に直接に添付する必要がなくて、店舗棚及び他の備品に添付されることがある。価格設定に加えて、ＥＰＬ  ２０は、対応する関連製品に関する情報を表示することもでき、これは、栄養的な情報、特価提供、販売促進メッセージ及び他の顧客が製品について情報に基づいた決定をすることを助けるための情報を含むがこれらに限定されるものではない。
【００１９】
一つの実施形態においては、ＥＰＣｇｌｏｂａｌ（ＧＳ１）機構の下で開発して、ＩＳＯ １８０００-６Ｃ仕様の下で国際標準化機構（ＩＳＯ）によって採用されて標準化したＵＨＦ ＲＦＩＤ ＥＰＣクラス１ Ｇｅｎｅｒａｔｉｏｎ  ２（「ＥＰＣ Ｃ１Ｇ２」）プロトコル・スイートをＥＰＬ ２０との通信のために用いることができる。このサーバー対アクセス・ポイント通信のために用いられるプロトコルは、ＥＰＣｇｌｏｂａｌ標準仕様スイートに従う低レベル・リーダー・プロトコル（「ＬＬＲＰ」）である。更に詳しくは、ＬＬＲＰPデータ・パケットは、ＥＰＬ ２０により表示された情報を制御するのに用いることができるアプリケーション-レベル・データ・ペイロードを包含する。このアプリケーション・レベル・データは、使用されるアプリケーションに特有のＸＭＬスタイル・スキーマに合致することがあり、製品アイテム名フィールド、測定単位フィールド、単位当たり価格フィールド、価格フィールドなどについての内容、並びにフォーマッティング選択、例えばフォント・サイズ、フォント・タイプ、フォント・カラー、背景色及び他の表示特徴に対応するＸＭＬタグを含み得る。この情報のＥＰＬ ２０への伝達に関係する処理、並びにＥＰＬ ２０によるその情報の処理に関係する詳細は、以下に示される。
【００２０】
各アクセス・ポイント１８が通信の範囲を有し、その中ではシステム１０内の全てのＥＰＬ  ２０のアドレスを指定して通信することができる。複数のアクセス・ポイント１８は、領域、例えば店舗階領域を包含するのに用いられ得る。アクセス・ポイント１８は、あらゆるＥＰＬ ２０が少なくとも一つのアクセス・ポイント１８と通信できることを確実とするために、それらの通信範囲に重なることができる。各々のＥＰＬ ２０は、使用されるプロトコル能力に起因して、かつ、各々のＥＰＬ ２０が特有に定義可能なシリアル番号を有するという事実に起因して、特有のアドレスを指定することができ、リーダー又はアクセス・ポイント１８と通信することができる。上記したように、ＥＰＬ ２０との通信に関連した使用のための例示的な通信プロトコル・スイートは、ＥＰＣ Ｃ１Ｇ２プロトコル・スイートである。
【００２１】
幾つかの生産業者は、ＥＰＣ Ｃ１Ｇ２プロトコルに従うリーダー及びトランスポンダーを構築する。このプロトコルは、トランスポンダー・タグ内のアンテナでカプセル化される安価な受動的な又はバッテリによって支援されたチップセットを用いたアイテム・レベル・タグ付けを可能にする。アクセス・ポイント１８は、ＲＦＩＤリーダーとすることができ、これは価格設定及び製品説明データのみをＥＰＬ ２０に無線送信するだけでなく、従来のＲＦＩＤ質問システムにおける場合のように、タグに質問する。従って、システム１０はアクセス・ポイント１８を介して価格設定及び製品更新を与えることができ、そのアクセス・ポイント１８は、従来のＲＦＩＤリーダー・ベースの質問システムで用いられているものであり、一方、従来のＲＦＩＤタグ読み取り検知における同一のリーダーをも用いる。この方式で、既存の伝達プロトコルによる既存のＲＦＩＤシステム基盤構造は、本発明を取り入れることができる。
【００２２】
他の実施形態においては、アクセス・ポイント１８はモバイル携帯端末であり、ＷｉＦｉネットワークのような無線通信を用いて店舗ネットワーク及び企業サーバー１２と通信する。携帯リーダーは、ＲＦＩＤタグに質問するのに用いられているのと同一のＥＰＣ  Ｃ１Ｇ２プロトコル・インターフェースを用いて、リーダーの質問範囲内でＥＰＬ２０と通信する。この実施形態においては、店舗従業員は携帯端末リーダーと共に店舗を歩き回り、携帯リーダーの通信（即ち質問）範囲内にあるＥＰＬ２０へ価格設定情報をアップロードすることができる。
【００２３】
他の実施形態においては、ＥＰＬ ２０はアイテム・レベルＲＦＩＤセキュリティ・タグと同じ包囲体内に収納されることもある。この場合、タグはディスプレイを備えており、これは例えば、電気泳動的又はＬＣＤディスプレイである場合があり、価格設定及び／又は製品情報を表示する。セキュリティ・タグは、ＥＰＣ Ｃ１Ｇ２対応電子回路「チップ」及びマイクロプロセッサを備え得る。このマイクロプロセッサ及びＥＰＣ Ｃ１Ｇ２チップは、単独の電子回路チップとして集積することができる。更に、セキュリティ・タグは、セキュリティ及び／又は電子式物品監視機能、例えば窃盗検出及び／又は運動検出を含み得る。
【００２４】
図２はＥＰＬ ２０の例示的構成要素を表す図であって、アクセス・ポイント１８からＥＰＬ ２０への情報の無線移転を例示する。上述したように、アクセス・ポイント１８とＥＰＣ ２０との間のデータ転送は、ＥＰＣ Ｃ１Ｇ２無線プロトコルを介する。このプロトコル又は他の伝達プロトコルを用いて、ＥＰＬ ２０はＲＦＩＤアンテナ２４を介してアクセス・ポイント１８からＵＨＦ信号を検出して、ＲＦＩＤインターフェース・チップ２６のようなＲＦＩＤ要素で、ＲＦＩＤ状態機を始動する。利用されている無線プロトコルは、他のＲＦＩＤタグとＥＰＬ ２０とで、これらのＥＰＬ ２０が常にアクセス・ポイント１８の質問領域を共有しているならば起こり得る信号衝突を避けるタグ分離処理を実行する。アクセス・ポイント１８は、ＥＰＬ ２０と１対１の通信を開始する。その開始は、例えばＥＰＬ２０のＩＤ番号によって、ＥＰＬ ２０の識別を含む。一旦この識別がなされるならば、アクセス・ポイント１８はその特定のＥＰＬ ２０、例えば、そのＥＰＬ ２０に関連した店舗在庫アイテムについての価格更新情報のような、特定のＥＰＬ ２０向けの特定の情報を選択し、これはデータベース１４に記憶されて、サーバー１２によりアクセスされて、ネットワーク１６を介してアクセス・ポイント１８へ送信される。アクセス・ポイント１８は、ユーザー・メモリ３８の緩衝レジスタ又はＲＦＩＤインターフェース・チップ２６の他の記憶デバイスに情報を書き込む。ユーザー・メモリ３８に記憶された情報は次いで同期データ・リンク、例えばシリアル周辺インターフェース「ＳＰＩ」インターフェース２８又は他のチップ対チップ・インターフェースを介して、ＥＰＬ ２０のマスター・コントローラ・チップ３０によって読み込まれる。マスター・コントローラ・チップ３０は、マイクロプロセッサ３２を含む。このように、ＲＦＩＤインターフェース・チップ２６のメモリ３８内の特定のレジスタが「通路」又「パイプ」として用いられて、これによりデータがアクセス・ポイント１８によりＥＰＬ ２０のマスター・コントローラ・チップ３０へ送信される。
【００２５】
一つの実施形態においては、この移動はＲＦＩＤインターフェース・チップ２６におけるレジスタを通過する一連のバイトとして起こり得る。他の実施形態においては、ＲＦＩＤインターフェース・チップ２６のユーザー・メモリにおける特定のレジスタは、各々がマスター・コントローラ・チップ３０における特定の機能へマップされ得る。ＲＦＩＤインターフェース・チップ２６ユーザー・メモリにおけるこれらの特別なレジスタは、Ｃ１Ｇ２プロトコル／ＲＦＩＤアクセス・ポイント１８を用いたサーバー１２においてＰＭＡ ２１により書き込み及び読み込みされて、チップ対チップ・インターフェース、例えば、ＳＰＩを使用してマスター・コントローラ・チップ３０によって読み込まれる。マスター・コントローラ・チップ３０は、このように得られる情報を用いて、ＥＰＬ ２０の表示スクリーン３４に表示されるデータの内容とフォーマットを決定する。
【００２６】
図３は本発明の実施形態によって実行される例示的な処理、特に、アクセス・ポイント１８とＥＰＬ ２０との間の情報の通信、のフローチャートである。例えば、ＥＰＣ Ｃ１Ｇ２のような無線通信プロトコルを使用して、ＥＰＬ ２０はアクセス・ポイント１８からの質問信号即ちＵＨＦ信号を検出する（ステップ  Ｓ４０）。ＥＰＬ ２０は到来信号を検出し、これは対象のリーダー、即ち、質問信号、の特定のＥＰＬのＩＤ番号を含み、ＲＦＩＤアンテナ２４を介してＲＦＩＤインターフェース・チップ２６を起動する（ステップ  Ｓ４２）。ＥＰＬ２０はＵＨＦ信号を送信したアクセス・ポイント１８と通信する（ステップS４４）。一旦何れのＥＰＬ ２０が製品情報を受信するかについて識別がなされるならば、アクセス・ポイント１８は何れの製品情報をその特定のＥＰＬ ２０へ送信すべきかを決定する（ステップ  Ｓ４６）。ＥＰＬ ２０は製品情報を受信し、そのマスター・コントロール・チップ３０はこの情報が表示スクリーン３４に表示させる（ステップS４８）。
【００２７】
図４は、ＥＰＬ２０におけるＲＦＩＤインターフェース・チップ２６内のメモリ３８の組織の例示的な実施形態である。ＥＰＣｇｌｏｂａｌ基準に従って、Ｃ１Ｇ２受動的なＲＦＩＤインターフェース・チップ２６は、それぞれ予約メモリ５０、ＴＩＤメモリ５２、ＥＰＣメモリ５４及びユーザー・メモリ５６に対応する四つのメモリ・バンク（バンク０-３）を含む。予約メモリ５０は、チップ２６についての消去及びアクセス・パスワードを包含し、ＴＩＤメモリ５２及びＥＰＣメモリ５４はチップ２６についての特定の識別番号を包含する。ユーザー・メモリ５６は、チップ製造業者の特定の実施及び設計に依存して、様々な数のレジスタを含む。本明細書に説明した例は、少なくとも３２台の８ビット・レジスタがユーザー・メモリ５６で利用可能であると仮定する。図４において、これらはＵＲ０，ＵＲ１，ＵＲ２，．．．ＵＲＮとラベル付けされる。この特定の例においては、第１のレジスタ（ＵＲ０）はＥＰＬのマスター・コントロール・チップ３０状態へマップ付けられている。マスター・コントローラ・チップ３０は、ＰＭＡ ２１と通信するために、このレジスタを用いる。
例えば、マスター・コントローラ・チップ３０がＥＰＬ ２０におけるバッテリが殆ど消耗していることを検出するならば、マスター・コントローラ・チップ３０はＳＰＩインターフェースを用いて、ＵＲ０レジスタにコード（例えば、０ｘＦＦ値）を書き込む。定期的に、通常の操作の一部として、ＰＭＡ ２１はＥＰＬ ２０の最も近くのＲＦＩＤアクセス・ポイント１８を介してＵＲ０レジスタを読み込む。レジスタＵＲ０において０ｘＦＦ値の検出と同時に、ＰＭＡ ２１は、電子メール又はテキスト・メッセージ報告システムを介して店員に低バッテリ状態を警告するメッセージを発し得る。
【００２８】
同様に、ユーザー・メモリ５６におけるレジスタＵＲ１は、ＲＦＩＤインターフェース・チップ２６の状態又は状態コードを記憶することができ、クライアント・アプリケーションにより、ＥＰＬマスター・コントロール・チップ３０と通信するために用いられる。例えば、レジスタＵＲ２、ＵＲ３、ＵＲ２１がＥＰＬの１×２０キャラクタ・ディスプレイにおけるキャラクタにマップされ、価格更新処理の一部として、ＰＭＡ  ２１が２０の新たなＡＳＣＩＩキャラクタ・コード・バイトをそれらの２０のレジスタに書き込む。マスター・コントローラ・チップ３０に、これらの新たな値がＲＦＩＤユーザー・メモリ５６に書き込まれたという警報を出すために、ＰＭＡ ２１もＥＰＬ ＲＦＩＤ状態レジスタＵＲ１に、特別な値（例えば、０×０１）を書き込む。このアプローチを用いて、２０台の表示レジスタが更新されたか否かを決定するために、マスター・コントローラ・チップ３０は（ＳＰＩインターフェースを介して）は、１台のレジスタ ― レジスタＵＲ１ ― を監視せねばならないのみである。
マスター・コントロール・チップ３０が０×０１の値がＲＦＩＤ状態レジスタにあると判定するとき、マスター・コントローラ・チップ３０は、それが２０台の表示キャラクタ・レジスタも読み込まねばならず、新たなＡＳＣＩＩキャラクタ・コード値によってＥＰＬディスプレイ３４を更新せねばならないことを知る。以下に示すのは、この双方向通信アプローチにおいて使用し得る状態コードの例である。
【００２９】
ＥＰＬチップ状態＝０．．．チップ３０は、係属中の行為のない初期化／通常の待ち状態である。
【００３０】
ＥＰＬチップ状態＝１．．．チップ３０は、現在表示を更新している。
【００３１】
ＥＰＬチップ状態＝ ２．．．チップ３０は、表示をうまく更新した。
【００３２】
ＥＰＬチップ状態＝３．．．チップ３０はディスプレイの更新におけるエラーに遭遇し、ディスプレイが不活性だった。
【００３３】
ＥＰＬチップ状態＝４．．．クライアント（ＰＭＡ）は、ディスプレイ更新を認めた。
【００３４】
ＥＰＬチップ状態＝２５５．．．チップ３０パワーが低い（可能とあれば、定期的にのみ、チップ３０はスリープから起きる）。
【００３５】
ＥＰＬ ＲＦＩＤ状態＝０．．．ＥＰＬチップ３０について係属するクライアント・メッセージはない
ＥＰＬ ＲＦＩＤ状態＝１．．．ＥＰＬチップについてのクライアント・メッセージ．．．表示キャラクタ・レジスタが更新値を包含する。
【００３６】
勿論、上述の状態コードは本質的に例示であって、全ての可能な状態コードの完全なセットを意図したものではないことを理解されたい。他の状態のコード及び値を用いる事ができ、上述に列挙したコードの全てよりも少ないものも実施できる。
【００３７】
図５は、ＥＰＬ ２０を操作するマスター・コントロール・チップ（「ＭＣＵ」）３０により用いられる例示的な処理のフローチャートである。ＭＣＵ ３０、ディスプレイ、ポート及び他の周辺機器の電源投入及び初期化（ステップ  Ｓ５８）の後、ＭＣＵ ３０はその電力供給レベルをチェックする（ステップ  Ｓ６０）。電力供給が低いならば、ＭＣＵ ３０はＲＦＩＤインターフェース・チップ２６状態レジスタに新たなＭＣＵ状態を書き込み（ステップ  Ｓ６２）、スリープ状態に入る（ステップ  Ｓ６４）。通常の操作の下で、出力レベルはＥＰＬ ２０を操作するのに充分であり、ＭＣＵ ３０は通常の操作モードに入る。ＭＣＵ  ３０はＲＦＩＤインターフェース・チップ２６のユーザー・メモリ５６におけるＵＲ１レジスタ値を（ＲＦＩＤインターフェース・チップを有するＳＰＩインターフェースを介して）チェックする（ステップ  Ｓ６４）。値が０×０１に等しいと判定されたならば（ステップ  Ｓ６６）、上述に示した状態コード計画に従って、ＭＣＵ ３０が新たなＭＣＵ状態をＵＲ０レジスタに書き込む（ステップ  Ｓ６８）、ＭＣＵのディスプレイ・リフレッシュ機能が起動し、即ち、ＭＣＵ  ３０が、ディスプレイ・キャラクタ・スロットにマップされたユーザー・メモリ・レジスタを読み込み、レジスタ値及びそれらのＡＳＣＩＩコーディング規格（即ち、ＩＳＯ  ８８５９−１「拡張ＡＳＣＩＩ／ＩＳＯ  ラテン１」キャラクタ・セット）における意味により表示をリフレッシュする（ステップ  Ｓ７０）。表示リフレッシュの成功した完了、及びエラーに遭遇しなかったことが判定された後（ステップ  Ｓ７２）、ＭＣＵ ３０は０×０２値をＵＲ０レジスタに書き込む（ステップ  S７４）。ＰＭＡ ２１は、ＲＦＩＤアクセス・ポイント１８及びＣ１Ｇ２エア・インターフェース・プロトコルによる読み取りを用いて、このレジスタを監視する。エラーに遭遇したならば、ＭＣＵ ３０は空白空間を全てのディスプレイ・キャラクタに書き込み（ステップ  Ｓ７６）、新たなＭＣＵ状態（０×０３）をＵＲ０レジスタに書き込む（ステップ  Ｓ７８）。ＵＲ０レジスタは、値が０×０４を読み取るまで、又は指定された時間が経過するまで読み取られる（ステップS８０）。ＰＭＡ ２１が０×０２（又は、表示リフレッシュ・エラーの場合における０×０３）の値を得るとき、ＰＭＡ ２１は同一のレジスタ（ＵＲ０）に０×０４の値をメッセージ承認として書き込む。ＥＰＬ ２０のＭＣＵ ３０がＳＰＩインターフェース上でこの値を読み込むとき、ＭＣＩ ３０はレジスタに０×００値（通常操作モード状態）を書き込み、パワー監視操作、ＵＲ１レジスタ監視操作へ戻る。
【００３８】
ＰＭＡ ２１の視点から、特定のＥＰＬユニットについての表示リフレッシュは、以下の通りに達成されることに留意されたい。先ず、ＰＭＡ  ２１が（データベース・ルックアップにより、又は全てのリーダーが発行するタグ検索に基づくＣ１Ｇ２による一般的検索により）何れのＲＦＩＤアクセス・ポイント１８が問題のＥＰＬ ２０に最も近いか、又は特定のＥＰＬ  ２０がアクセス・ポイント１８の視野（タグ質問場）にあるように充分に近くに位置しているかを判定する。次にＰＭＡ ２１はＣ１Ｇ２プロトコルを用いてＥＰＬ ２０を分離し、即ち、これがＥＰＬ  ２０のＲＦＩＤインターフェース／タグにアクセスして、視野内の他の全てのタグ及びＥＰＬユニットが沈黙して、アクセス・ポイント１８と特定のＥＰＬ  ２０との間の一対一通信が確立されるようにする。次に、アクセス・ポイント１８は、必須のタグ・アクセス・パスワードを用いてタグを「安全」状態におき、これも店舗サーバー１２におけるデータベース１４に位置させる。この時点で、アクセス・ポイント１８は、ＥＰＬのＲＦＩＤインターフェース・チップ２６ユーザー・メモリ・レジスタから読み取って、かつ、これに対して書き込む許可を有する。ＰＭＡ ２１は、上述の例によって、ディスプレイ・レジスタＵＲ２-ＵＲ２１にアスキー・キャラクタを書き込んで、次いでＵＲ１レジスタに０×０１の値を書き込む。これに続いて、ＰＭＡはＲＦＩＤアクセス・ポイント１８を用いてＵＲ０レジスタを監視する。サーバー１２上のＰＭＡがＵＲ０レジスタから０×０２の値を得るとき、ＰＭＡ２１はディスプレイがＥＰＬのマスター・コントローラにより首尾よく更新されたことを知るか、或いは０×０３の値の場合においては、そのＥＰＬ ２０がディスプレイ・リフレッシュ・エラーに遭遇したことを知る。ＰＭＡ２１はＵＲ０レジスタ値を承認値（０×０４）で上書きする。
【００３９】
サーバー対リーダー通信のために使われる特殊なプロトコルは、ＥＰＣｇｌｏｂａｌ標準仕様スイートによる標準的なＬＬＲＰ（低レバー・リーダー・プロトコル）とすることができる。更に詳しくは、ＬＬＲＰデータ・パケットは、顧客コマンドとＬＬＲＰのデータ特性を用いてデータ・ペイロードを包含することができ、これはＥＰＬディスプレイ３４上に示される情報を制御するのに用いられる。幾つかの実施形態においては、このアプリケーション・レベルのデータは間近におけるアプリケーションに特有のＸＭＬスタイルのスキーマに合致して、製品アイテム名フィールド、数量単位フィールド、単位当たりの価格フィールド、価格フィールドなど、並びにフォーマット選択、例えばフォント・サイズ、フォント形式、フォント色、背景色、及び他の表示特性についての内容に対応するＸＭＬタグを含む。上述した実施形態において、ＬＬＲＰ上でＥＰＬ ２０へ渡した価格設定及び制御データは、ＲＦＩＤインターフェース・チップ・ユーザー・メモリに載せられた単純なコードとデータ・バイトとを用いる。
【００４０】
ＥＰＣｇｌｏｂａｌＬＬＲＰ（低レベル・リーダー・プロトコル）標準仕様によれば、クライアント・アプリケーションは、リーダー操作の詳細を制御するために、アクセス仕様（ＡｃｃｅｓｓＳｐｅｃｓ）及びリーダー操作仕様（ＲＯＳｐｅｃｓ）を用いる。アクセス仕様パラメータ及びそのサブパラメータは、何れのタグ（即ちＥＰＬ ２０）がアクセス・ポイント１８によってアドレスを指定されるかを規定する。ＡｃｃｅｓｓＳｐｅｃｓは、ＡｃｃｅｓＣｏｍｍａｎｄパラメータを含み、これは、何れの一つ又は複数のタグがアクセスされるかを記述するＴａｇＳｐｅｃと、どのようなリーダー操作、例えばデータ読み取り、データ書き込み等が各々のタグに実行されるかを記述するＯｐＳｐｅｃとを含む。リーダー操作仕様（「ＲＯＳｐｅｃ」）オブジェクト・インスタンスは、サーバー１２上のＰＭＡ ２１のような上部レベル・アプリケーションがＲＦＩＤアクセス・ポイント１８及びそのタグ（この場合はＥＰＬ  ２０）における操作を制御する詳細を含む。ＲＯＳｐｅｃオブジェクトは、タイプＡＩＳｐｅｃ及び／又はＲＦＳｕｒｖｅｙＳｐｅｃのサブオブジェクトの一つ以上の例を含む。具体的には、ＲＯＳｐｅｃは、ＲＯＳｐｅｃパラメータ・オブジェクトにより記述され、これは、ＲＯＳｐｅｃＩＤ，Ｐｒｉｏｒｉｔｙ（０−７），ＣｕｒｒｅｎｔＳｔａｔｅ（０＝機能しない；１＝非アクティブ；２＝アクティブ），及びＲＯＢｏｕｎｄａｒｙＳｐｅｃを含む。ＲＯＢｏｕｎｄａｒｙＳｐｅｃはＲＯＳｐｅｃコマンドの有効期間、並びにその開始及び停止誘因事象又は条件を指定する。例えば、ＲＯＢｏｕｎｄａｒｙＳｐｅｃのＲＯＳｐｅｃＳｔａｒｔＴｒｉｇｇｅｒ＝１であるならば、ＲＯＳｐｅｃコマンドは、それがＰＭＡ ２１から受け取られると直ぐに、ＲＦＩＤアクセス・ポイント１８によって実行される。通常、ＲＯＢｏｕｎｄａｒｙＳｐｅｃのＲＯＳｐｅｃＳｔｏｐＴｒｉｇｇｅｒ＝０であり、これはＲＯＳｐｅｃは、それによって規定されるリーダー操作の全てがアクセス・ポイント１８によって完了するときに終わることを意味する。ＲＯＳｐｅｃが、ＥＰＬ ２０のようなＲＦＩＤタグと通信するために、ＰＭＡ ２１によってＲＦＩＤアクセス・ポイント１８へ送られるとき、ＲＯＳｐｅｃは少なくとも一つのＡｎｔｅｎｎａ  Ｉｎｖｅｎｔｏｒｙ仕様（「ＡＩＳｐｅｃ」）パラメータを含む。ＡＩＳｐｅｃは、ＲＯＳｐｅｃが特定のＡＩＳｐｅｃＳｔｏｐＴｒｉｇｇｅｒ値（例えばタグの捕捉を中止するときに例えば３に等しい）と、ＡｎｔｅｎｎａＩＤ（例えばＲＦＩＤアクセス・ポイント１８に接続している全てのアンテナについてＲＯＳｐｅｃが実行されなければならないときに０に等しい）と、ＩｎｖｅｎｔｏｒｙＰａｒａｍｅｔｅｒＳｐｅｃとからなる。この最後のパラメータは、各々のアンテナにおいて実行される実際のリーダー操作を詳述する。
【００４１】
各々のアクセス・ポイントは、それがＥＰＬ  ２０にアドレス指定及び通信できる通信の範囲を有する。多重アクセス・ポイントは、あらゆるＥＰＬ ２０が少なくとも一つのアクセス・ポイントに通信できることを確実とするために通信領域の重複を有する店舗フロア領域を包含するために使用し得る。ＥＰＣ Ｃ１Ｇ２のプロトコル能力に起因して及び、各々のＥＰＬ ２０が特有に定義可能なシリアル番号を持つので、アクセス・ポイント１８のような一つ以上のアクセス・ポイントによって、、各々のＥＰＬ  ２０は、特有にアドレス指定及び通信することができる。他の実施形態においては、アクセス・ポイント１８はモバイル携帯ユニットであり、これはＷｉＦｉのような無線通信手段を介して店舗ネットワーク及び企業サーバー１２へ接続する。携帯アクセス・ポイント１８は、ＥＰＣ Ｃ１Ｇ２プロトコル・インターフェースを介してそれらの質問領域内でＥＰＬ ２０と通信する。この状況においては、店舗従業員は携帯アクセス・ポイント１８と共に店舗を歩き回ることができ、そうする際に、携帯アクセス・ポイント１８の範囲内にあるＥＰＬ ２０に価格設定情報を更新することができる。
【００４２】
他の実施形態では、ＥＰＬ２０がアイテム・レベル・セキュリティ・タグとしての同一の被包体との組み合わせでその中にあり、そのタグはディスプレイ（電子ペーパー又はＬＣＤの何れか）を備えており、価格設定情報を示す。タグは上述のＥＰＣ  Ｃ１Ｇ１  ＲＦＩＤインターフェース・チップ及びマイクロプロセッサを備え得る。更に、タグは窃盗検出及び／又は運動検出のセキュリティ又は電子式物品監視機能を含み得る。
【００４３】
他の実施形態においては、アクセス・ポイント１８は、情報をマスター・コントロール・チップ３０へ渡し、ＥＰＬ操作上のパラメータを決定するか、又はそのパラメータに影響することに留意されたい。上述の通信システムは、ＥＰＬメモリ３８におけるアクセス・ポイントからの情報を、後に取り出すように（例えば、最後の価格更新日時、ＥＰＬのＩＤ番号に関連した店舗在庫アイテムのＥＰＣ番号等）、記憶するために使用し得ることにも留意されたい。
【００４４】
一つの実施形態においては、データの転移は、レジスタを通過するのが例えば１６ビット長であるならば、１６ビット（１ワード）フレームにおいて生じる。マスター・コントロール・チップ３０は獲得された情報を用いて、ＥＰＬ  ２０の表示スクリーン３４に表示されるべき表示される価格設定又は製品関連データの内容及びフォーマットを決定する。電源３６は、ディスプレイ３４へ電力を供給する。
【００４５】
他の実施形態において、アクセス・ポイント１８は、ＥＰＬ ２０の操作上のパラメータを決定するために、マスター・コントロール・チップ３２へ情報を渡す。更に他の実施形態においては、システム１０は、メモリ３８におけるアクセス・ポイント１８からの情報を、後に取り出すように（例えば、最後の価格更新日時、ＥＰＬのＩＤ番号に関連した店舗在庫アイテムのＥＰＣ番号等）、記憶するために使用できる。
【００４６】
本発明は、ハードウェア、ソフトウェア又はハードとソフトの組合せで実現されることができる。任意のコンピュータ・システム又はここに記述される方法を実行するように適合された他の装置は、ここに記述される機能を実行するために適している。
【００４７】
サーバー１２用のハードとソフトの代表的組合せは、特殊化又は汎用コンピュータ・システムとすることができ、これは一つ以上の処理要素と、記憶媒体に記憶されて、それがロードされて実行されたときに、本明細書に記載された方法を実行するようにコンピュータ・システムを制御するコンピュータ・プログラムとを有する。本発明はコンピュータ・プログラム製品に組み込むこともでき、これは本明細書に記載された方法の実施を可能にする全ての特徴を含み、コンピュータ・システムにロードされたときに、それらの方法を実行することができる。記憶媒体は、任意の揮発性又は不揮発性記憶デバイスを指す。
【００４８】
本文脈におけるコンピュータ・プログラム又はアプリケーションは、指令のセットの任意の言語、コード又は表記法における任意の表現を意味し、その指令は、直接に、或いはａ）他の言語、コード又は表記法への変換と、ｂ）異なる材料形態における複製との何れか又は両方の後に、特定の機能を実行する情報処理能力があるシステムをもたらすように意図されている。
【００４９】
当業者には、本発明は特に図示されて、本明細書に上述されものには限定されないことが認められるであろう。更に、反する言及が上述になされない限り、添付図面の全てが一定の比率であるわけではない点に留意されたい。様々な修正例及び変更例が、本発明の目的及び要旨を逸脱しない範囲で、上述の教示を考慮して可能であり、それは以下の特許請求の範囲のみによって制限される。
【００５０】
更に、反する言及が上述になされない限り、添付図面の全てが一定の比率であるというわけではない点に留意されたい。重要なことには、本発明はその主旨又はその重要な特質を逸脱しない範囲で他の特定の形態で実施することができ、従って、発明の範囲を示すためには、前述の明細書よりはむしろ、以下の特許請求の範囲を参照せねばならない。
【図１】
2014517437.tif 000003
【図２】
2014517437.tif 000004
【図３】
2014517437.tif 000005
【図４】
2014517437.tif 000006
【図５】
2014517437.tif 000007
【国際調査報告】
2014517437.tif 000008
2014517437.tif 000009